(57)【要約】【課題】  コンパクトに構成でき、かつ多様な形状の被切断部材を容易に切断することができるスライド式卓上切断機を提供する。【解決手段】  木材Ｗを支持するベース部２と、ベース部２上に設けられベース部２の上方で切断刃５３を支持する切断部３と、を備え、切断部３は、切断刃５３を回転可能に支持する切断本体部５と、切断本体部５を支持すると共にベース部２上方で切断刃５３の側面方向に切断本体部５をベース部２に対して移動可能とするスライド部６と、スライド部６をベース部２に接近離間する方向に揺動可能に支持する支持部４と、を有し、支持部４には、切断刃５２の揺動とは無関係に切断刃５２とベース部２との距離を微調整可能な微調整機構が設けられたスライド式卓上切断機を提供する。【選択図】図１
2008100355.tif 000002
【特許請求の範囲】
【請求項１】
加工部材を支持するベース部と、
該ベース部上に設けられ該ベース部の上方で切断刃を支持する切断部と、を備え、
該切断部は、切断刃を回転可能に支持する切断本体部と、該切断本体部を支持すると共に該ベース部上方で該切断刃の側面方向に該切断本体部を該ベース部に対して移動可能とするスライド部と、該スライド部を支持する支持部と、を有し、
該切断本体部または該支持部には、該切断刃を該ベース部に接近離間する方向に揺動可能にすると共に該切断刃の回転軸と平行な該揺動軸部が設けられ、
該支持部または該切断本体部には、該切断刃の揺動とは無関係に該切断刃と該ベースとの距離を微調整可能な微調整機構が設けられていることを特徴とするスライド式卓上切断機。
【請求項２】
該支持部は、該ベース部に接続される揺動支持部と、該揺動軸部を介して該揺動支持部に接続され該スライド部を支持する揺動部とを備えて構成され、
該微調整機構は、該支持部または該切断本体部に設けられて該揺動軸部の半径方向若しくは該半径方向と平行な方向に該揺動軸部に対して該切断刃を移動可能に構成され、
該スライド部は、該揺動軸部の軸方向と直交する方向に延出されて該切断本体部と該揺動部との間に介在していることを特徴とする請求項１記載のスライド式卓上切断機。
【請求項３】
該切断本体部は、該スライド部に接続される接続部と、該揺動軸部を介して該接続部と接続され該切断刃を支持する切断刃支持部とを備えて構成され、
該微調整機構は、該支持部または該切断本体部に設けられて該揺動軸部の半径方向若しくは該半径方向と平行な方向に該揺動軸部に対して該切断刃を移動可能に構成され、
該スライド部は、該揺動軸部の軸方向と直交する方向に延出されて該接続部と該支持部との間に介在していることを特徴とする請求項１記載のスライド式卓上切断機。
【請求項４】
該ベース部は、該加工部材を支持するベースと、該ベース上に担持されて該ベースに対して回動可能なターンテーブルと、を有し、
該切断部は該ターンテーブルに設けられていることを特徴とする請求項１乃至請求項３のいずれか一に記載のスライド式卓上切断機。
【請求項５】
該ベース部は、該加工部材が載置される載置面を有し、
該支持部と該ベース部との間には、該載置面と同一平面上に位置すると共に該揺動軸部の軸方向と直交する方向に配置された軸を有する傾動軸部が設けられ、該切断刃は該傾動軸部を中心軸として傾動可能であることを特徴とする請求項１乃至請求項４のいずれか一に記載のスライド式卓上切断機。
【請求項６】
該切断本体部は該切断刃と該切断刃を回転駆動するモータとを有し、
該切断刃と該モータとは該揺動軸部の軸方向と平行に配列され、
該切断本体部において該スライド部との接続箇所は該切断刃と該モータとの間に設けられていることを特徴とする請求項１乃至請求項５のいずれか一に記載のスライド式卓上切断機。
【請求項７】
該スライド部は、該揺動軸部の軸方向と直交する方向に平行に延びる複数の長尺部から構成され、
該支持部に対する該切断本体部の位置規制を行う位置規制部が、該切断本体部と該支持部との少なくともいずれか一方に設けられ、
該複数の長尺部のうち少なくとも一の長尺部は、該位置規制部と係合可能に構成され、
該複数の長尺部のうち他の長尺部は、該一の長尺部より高強度に構成されていることを特徴とする請求項１乃至請求項６のいずれか一に記載のスライド式卓上切断機。
【請求項８】
該複数の長尺部の配列方向は、該側面と平行に構成されていることを特徴とする請求項７に記載のスライド式卓上切断機。
【発明の詳細な説明】
【技術分野】
【０００１】
本発明は卓上切断機に関し、特にスライド式の卓上切断機に関する。
【背景技術】
【０００２】
スライド式卓上切断機のスライド方式としては、被切断部材を載置するベース面と平行に移動するスライド部材に切断刃を設ける方法や、特許文献１に示されるようにベース面と平行に設けられたスライド部材に、切断刃を移動可能に設ける方法が公知となっている。これらのスライド式卓上切断機においては、切断刃がベース面上で揺動可能に配置されており、切断刃の一部が、ベース面に穿設された溝に挿入可能に構成されている。
【特許文献１】特開２００５−２７９９３３号公報
【発明の開示】
【発明が解決しようとする課題】
【０００３】
従来のスライド式卓上切断機では、切断刃の一部がベース面に穿設された溝に挿入されて、ベース面において切断刃の側面とベース面とが交わる交線部分が長いほど、幅広い部材が切断可能となる。また切断刃の回転軸位置からベース面までが離れているほど厚い部材が切断可能となる。よって厚い材料を切断すべくベース面の溝への切断刃の挿入量を小さくすると、幅広い材料を切断することができず、逆に切断刃のベース面の溝への挿入量を大きくすると厚い材料を切断することができないことがあった。
【０００４】
切断刃を大きくすることによりこの問題を解決していたが、スライド式卓上切断機が大きくなり、狭い作業箇所での搬送性が低下していた。またスライドに係る機構を備えているため、通常の卓上切断機に比べてスライド式卓上切断機は重量が増していたが、これに大きな切断刃を使用することにより、重量増加を招き、搬送性を更に低下させていた。そこで、本発明は、コンパクトかつ多様な形状の被切断部材に対応したスライド式卓上切断機を提供することを目的とする。
【課題を解決するための手段】
【０００５】
上記課題を解決するために本発明は、加工部材を支持するベース部と、該ベース部上に設けられ該ベース部の上方で切断刃を支持する切断部と、を備え、該切断部は、切断刃を回転可能に支持する切断本体部と、該切断本体部を支持すると共に該ベース部上方で該切断刃の側面方向に該切断本体部を該ベース部に対して移動可能とするスライド部と、該スライド部を支持する支持部と、を有し、該切断本体部または該支持部には、該切断刃を該ベース部に接近離間する方向に揺動可能にすると共に該切断刃の回転軸と平行な該揺動軸部が設けられ、該支持部または該切断本体部には、該切断刃の揺動とは無関係に該切断刃と該ベースとの距離を微調整可能な微調整機構が設けられているスライド式卓上切断機を提供する。
【０００６】
上記構成のスライド式卓上切断機において、該支持部は、該ベース部に接続される揺動支持部と、該揺動軸部を介して該揺動支持部に接続され該スライド部を支持する揺動部とを備えて構成され、該微調整機構は、該支持部または該切断本体部に設けられて該揺動軸部の半径方向若しくは該半径方向と平行な方向に該揺動軸部に対して該切断刃を移動可能に構成され、該スライド部は、該揺動軸部の軸方向と直交する方向に延出されて該切断本体部と該揺動部との間に介在していることが好ましい。
【０００７】
また上記構成のスライド式卓上切断機において、該切断本体部は、該スライド部に接続される接続部と、該揺動軸部を介して該接続部と接続され該切断刃を支持する切断刃支持部とを備えて構成され、該微調整機構は、該支持部または該切断本体部に設けられて該揺動軸部の半径方向若しくは該半径方向と平行な方向に該揺動軸部に対して該切断刃を移動可能に構成され、該スライド部は、該揺動軸部の軸方向と直交する方向に延出されて該接続部と該支持部との間に介在していてもよい。
【０００８】
これらのような構成によると、切断部が揺動されて所定の位置にある状態で、切断刃をベース部に対して近接離間させることができる。よって切断刃をスライドさせて切断する位置においても、揺動させずに切断刃をベース部に対して近接離間させることができる。したがって、切断刃をベース面に穿設された溝に深く挿入された状態から浅く挿入された状態まで変化させることが可能になり、小さな切断刃を用いた場合であっても厚い加工部材から幅広の加工部材まで好適に切断加工することができる。
【０００９】
また上記構成スライド式卓上切断機において、該ベース部は、該加工部材を支持するベースと、該ベース上に担持されて該ベースに対して回動可能なターンテーブルと、を有し、該切断部は該ターンテーブルに設けられていることが好ましい。
【００１０】
また該ベース部は、該加工部材が載置される載置面を有し、該支持部と該ベース部との間には、該載置面と同一平面上に位置すると共に該揺動軸部の軸方向と直交する方向に配置された軸を有する傾動軸部が設けられ、該切断刃は該傾動軸部を中心軸として傾動可能であることが好ましい。
【００１１】
このような構成によると、切断刃を加工部材に多様な角度から当接させることができ、加工部材の切断角度（マイター角度、ベベル角度）の種類の幅を拡げることができる。
【００１２】
また該切断本体部は該切断刃と該切断刃を回転駆動するモータとを有し、該切断刃と該モータとは該揺動軸部の軸方向と平行に配列され、該切断本体部において該スライド部との接続箇所は該切断刃と該モータとの間に設けられていることが好ましい。
【００１３】
このような構成によると、スライド部が切断部本体の外殻から突出することが抑制され、スライド式卓上切断機本体を小型化することができる。またモータと切断刃とは互いに重量物であるため、その中間位置でスライド部と接続することにより、切断本体部の重量バランスを好適にすることができる。
【００１４】
また該スライド部は、該揺動軸部の軸方向と直交する方向に延びる複数の長尺部から構成され、該切断本体部と該支持部との間の位置規制を行う位置規制部が、該切断本体部と該支持部との少なくともいずれか一方に設けられ、該複数の長尺部のうち少なくとも一の長尺部は、該位置規制部と係合可能に構成され、該複数の長尺部のうち他の長尺部は、該一の長尺部より高強度に構成されていることが好ましい。
【００１５】
このような構成によると、一の長尺部を主に位置規制に用い、他の長尺部を主に構造部材として用いることができる。よって一の長尺部においては、過度に高強度が要求されず、軽量な部材を用いることができる。
【００１６】
また該複数の長尺部の配列方向は、該側面と平行に構成されていることが好ましい。このような構成によると、スライド部が切断部の外側から突出することが抑制され、スライド式卓上切断機本体を小型化することができる。
【発明の効果】
【００１７】
本発明のスライド式卓上切断機によれば、コンパクトに構成でき、かつ多様な形状の被切断部材を容易に切断することができる。
【発明を実施するための最良の形態】
【００１８】
本発明の第一の実施の形態について、図１乃至図１０に基づき説明する。図１に示される卓上切断機である卓上丸鋸１は、スライド機構を備えた卓上丸鋸であり、ベース部２と、切断部３とから主に構成されている。
【００１９】
ベース部２は、被切断部材である木材Ｗを担持するベース２１と、ベース２１上に回動可能に担持されたターンテーブル２２と、ベース２１に設けられたフェンス２３とから主に構成されている。ベース２１は、図２に示されるように、一対の左ベース２１Ａと右ベース２１Ｂとから構成されている。これら左ベース２１Ａと右ベース２１Ｂとが並んでいる方向を左右方向と定義し、ベース２１の木材Ｗ（図１）を載置する面の上方を上方、反対を下方と定義する。
【００２０】
図２に示されるように、ターンテーブル２２は、右ベース２１Ｂと左ベース２１Ａとの間に配置されている。ターンテーブル２２は、略円台状のターンテーブル本体部２２Ａとターンテーブル本体部２２Ａの一方側に突出する突出部２４と他方側に設けられた後述の支持部４を支持する切断部支持部２７とから構成されている。この突出部２４がターンテーブルより突出している方向であって左右方向と直交する方向を前方、反対を後方と定義する。
【００２１】
また、ターンテーブル２２の上面には、切断部支持部２７近傍位置から突出部２４にかけて一連の図示せぬ溝部が形成されている。この図示せぬ溝部は、後述の切断刃５３が下方に揺動してターンテーブル２２と交わった際の交線位置と同一位置にあり切断刃５３の刃先を収容する箇所となっている。
【００２２】
図１及び図２に示されるように、突出部２４には、ターンテーブル２２のベース２１に対する回動を規制する際の操作部となる規制操作部２８が設けられている。切断部支持部２７は、ターンテーブル２２の中心軸に対して突出部２４の反対位置に配置されている。切断部支持部２７には、図示せぬ溝部の延長線上に位置する傾動軸２７Ａと、切断部３が任意の傾斜角度で固定される傾動支持部２７Ｂとを有している。図３に示されるように、傾動支持部２７Ｂには、傾動軸２７Ａを中心とする半円弧状の長孔２７ａが形成されている。
【００２３】
図１に示されるように、ベース２１上であって、ターンテーブル２２の上方位置には、フェンス２３が設けられている。フェンス２３は、図２に示されるように、左ベース２１Ａ及び右ベース２１Ｂに対応して左フェンス２３Ａ及び右フェンス２３Ｂから構成されており、左フェンス２３Ａ及び右フェンス２３Ｂの前面は、同一平面状に位置するように配置されて、木材Ｗ（図１）の位置を規定している。
【００２４】
図１に示されるように、切断部３は、支持部４と切断本体部５とスライド部６とから主に構成されている。支持部４は、揺動支持部４１と、揺動部４２と、スライド支持部４３と、揺動軸部４４とから主に構成されている。
【００２５】
図３に示されるように、揺動支持部４１は、一対の腕部４１Ａ、４１Ａを備え、反腕部４１Ａ、４１Ａ側位置で傾動軸２７Ａによって傾動支持部２７Ｂに接続されている。揺動支持部４１の傾動支持部２７Ｂに形成された長孔２７ａと対向する箇所には、図示せぬネジ穴が形成されており、このネジ穴に長孔２７ａを貫通したクランプレバー４１Ｂが螺接合されている。クランプレバー４１Ｂを螺進させることにより、傾動支持部２７Ｂと揺動支持部４１とが互いに付勢されて傾動支持部２７Ｂに対して揺動支持部４１を傾動不能にすることができる。一対の腕部４１Ａ、４１Ａの間には揺動軸部４４が設けられている。揺動軸部４４は、一対の腕部４１Ａ、４１Ａのうち左側に位置する腕部４１Ａからその端部が突出しており、揺動軸部４４の突出した部分には、ストッパホルダ４５が揺動軸部４４の軸回りに回転可能に設けられている。
【００２６】
ストッパホルダ４５には、揺動軸部４４位置から見て切断部支持部２７側の一端部分に図４に示されるように、揺動軸部４４を中心とした円弧状の長孔４５ａが形成されている。長孔４５ａ内には固定ボルト４５Ａが挿入されており、固定ボルト４５Ａは揺動支持部４１に設けられたネジ穴に螺合可能となっている。よって固定ボルト４５Ａを螺進させることによりストッパホルダ４５と揺動支持部４１とが互いに付勢されてストッパホルダ４５が揺動支持部４１に固定され、ストッパホルダ４５が揺動軸部４４の中心軸回りに回転不能となる。
【００２７】
図３に示されるように、ストッパホルダ４５の反切断部支持部２７側となる他端部分には、左右方向に貫通する筒部４５Ｂが設けられている。筒部４５Ｂの左側端部には、筒部４５Ｂの半径方向に延びる溝４５ｂが形成されている。また筒部４５Ｂ内には左右方向に摺動可能なストッパピン４５Ｃが挿入されており、筒部４５Ｂとストッパピン４５Ｃとの間には、筒部４５Ｂに対してストッパピン４５Ｃを右側に向けて付勢するバネ４５Ｄが介在している。
【００２８】
図５及び図６に示されるようにストッパピン４５Ｃは、右側の端部に係合部４５Ｅを有しており、後述の揺動部４２に形成された凹部４２ｂと係合可能に構成されている。またストッパピン４５Ｃの反係合部４５Ｅ側には、ストッパピン４５Ｃの摺動方向と直交する方向に延びるピン４５Ｆが設けられており、このピン４５Ｆは筒部４５Ｂの溝４５ｂ内に挿入可能に構成されている。ストッパピン４５Ｃは、図５に示されるように、ピン４５Ｆが溝４５ｂ内に挿入されている場合のみ係合部４５Ｅが筒部４５Ｂの右側端部より突出して凹部４２ｂと係合可能である。切断刃５３において、ピン４５Ｆが溝４５ｂ内に挿入可能でありかつ切断刃５３が木材Ｗを切断可能な位置を切断位置と定義する。また図６に示されるようにピン４５Ｆが溝４５ｂ外にある場合には、係合部４５Ｅが筒部４５Ｂ内に配されて係合部４５Ｅが凹部４２ｂと係合することが抑制される。ピン４５Ｆが溝４５ｂ内に挿入不能でありかつ切断刃５３が木材Ｗを切断不能な位置を非切断位置と定義する。これらストッパホルダ４５、ストッパピン４５Ｃ、固定ボルト４５Ａを含んで保持機構が構成される。
【００２９】
図１に示されるように揺動部４２は、揺動軸部４４により軸支されて、揺動軸部４４の中心軸回りに揺動支持部４１に対して回転可能に構成されている。揺動部４２には、揺動軸部４４の半径方向と略平行な方向に延びて後述のスライド支持部４３の調整部４３Ａが挿入される調整溝４２ａが形成されている。揺動部４２の上方に位置する面には孔４２ｃが形成されていると共に、孔４２ｃ内に後述のネジ部４２Ｂが挿入される調整ノブ４２Ａが設けられている。調整ノブ４２Ａは先端にネジ部４２Ｂを有しており、このネジ部４２Ｂが孔４２ｃを貫通して調整溝４２ａ内に配置され、後述の調整部４３Ａと螺合可能になっている。揺動部４２の左側側面部分には、係合部４５Ｅが挿入されて係合可能な凹部４２ｂが形成されている。
【００３０】
揺動部４２と揺動支持部４１との間には、揺動軸部４４に巻回されたバネ４４Ａ（図３）が介在している。バネ４４Ａにより揺動部４２は、揺動軸部４４の上方で前側から後側に向かう方向に付勢されている。
【００３１】
スライド支持部４３は、スライド部６である後述の第一スライドパイプ６１及び第二スライドパイプ６２を固定して保持していると共に、反スライド部６側に揺動部４２と接続される調整部４３Ａを有している。調整部４３Ａは、調整溝４２ａ内に挿入されて調整溝４２ａの延長方向と平行に摺動可能に構成されている。また調整部４３Ａには、調整溝４２ａに挿入される位置に調整溝４２ａの延長方向と平行な方向に穿設されたネジ孔４３ａが形成されており、このネジ孔４３ａに調整ノブ４２Ａのネジ部４２Ｂが螺合している。よって調整ノブ４２Ａを回転させることにより、調整部４３Ａを含むスライド支持部４３は、調整溝４２ａの延長方向、即ち揺動軸部４４の半径方向と略平行な方向と平行に移動することが可能となっている。これら揺動部４２、調整部４３Ａ、及び調整ノブ４２Ａから切断刃５３の揺動とは無関係に切断刃５３とベース部２との間の距離を微調整可能な微調整機構が構成されている。
【００３２】
スライド部６は、第一スライドパイプ６１と第二スライドパイプ６２とから主に構成されている。第一スライドパイプ６１と第二スライドパイプ６２とはそれぞれスライド支持部４３に後側の一端で固定されており、揺動軸部４４の軸方向と直交する方向を配列方向として略平行に配列されて前側に向けて延出されている。第二スライドパイプ６２は、第一スライドパイプ６１の下側に設けられており、第一スライドパイプと比べて大径かつ厚肉であり、熱処理が施されて高強度に構成されている。よって第二スライドパイプ６２を主に切断本体部５を支える支柱とし、第一スライドパイプ６１を切断本体部５のスライド部６に対する位置決めとすることができる。これにより、第一スライドパイプにおいては、その径等を小型化することができ、軽量化を図ることができる。
【００３３】
切断本体部５は、ハウジング５Ａを外殻として、胴部５１と、モータ５２と、切断刃５３と、切断刃カバー５４と、ハンドル５５とから主に構成されている。
【００３４】
胴部５１は、スライド部６に摺動可能に保持されており、胴部５１の上面であってスライド支持部４３側の位置には固定ネジ５１Ａが設けられている。図７に示されるように固定ネジ５１Ａは、螺進することにより先端が第一スライドパイプ６１と当接可能に構成されている。胴部５１において第一スライドパイプ６１の左右両側には、それぞれ圧接ブッシュ５１Ｂ、５１Ｂが第一スライドパイプ６１に当接して設けられており、第一スライドパイプ６１に対して胴部５１が摺動する方向と直交する方向において胴部５１に対する第一スライドパイプ６１の位置を規定している。また圧接ブッシュ５１Ｂ、５１Ｂには、それぞれネジ５１Ｃ、５１Ｃが当接しており、このネジ５１Ｃ、５１Ｃを螺進退することにより、圧接ブッシュ５１Ｂ、５１Ｂの第一スライドパイプ６１に対する圧力を調整している。
【００３５】
また胴部５１において、第二スライドパイプ６２を支持する箇所には、ボールブッシュ５１Ｄが設けられている。ボールブッシュ５１Ｄを介して胴部５１は第二スライドパイプ６２に支持されている。
【００３６】
切断刃５３とモータ５２とは、胴部５１の前側に、左右に並んで配置されており、モータ５２によって切断刃５３が回転駆動されている。よって図２に示されるように、切断刃５３とモータ５２との間に第一スライドパイプ６１及び第二スライドパイプ６２が配置される。また第一スライドパイプ６１及び第二スライドパイプ６２の配列方向が切断刃５３の側面と略平行になるように切断刃５３が配置されている。このような配置を採ることにより、スライド部６が切断部３本体の外殻から突出することが抑制され、卓上丸鋸１を小型化することができる。またモータ５２と切断刃５３とは互いに重量物であるため、その中間位置でスライド部６と接続することにより、切断本体部５の重量バランスを好適にすることができる。
【００３７】
ハンドル５５は、ハウジング５Ａにおいて、モータ５２の上部周辺に構成されており、切断刃５３を揺動する際の把持部となっている。ハンドル５５には、モータ５２の回転を制御するトリガ５５Ａが設けられている。
【００３８】
上記構成の卓上丸鋸１において木材Ｗを切断する場合には、先ずストッパホルダ４５において固定ボルト４５Ａを緩め、かつストッパピン４５Ｃの係合部４５Ｅを凹部４２ｂに係合させた状態で、スライド部６がベース２１の上面と略平行になるように切断部３を押し下げて切断刃５３を揺動させる。この状態で固定ボルト４５Ａを締め、ストッパホルダ４５の揺動支持部４１に対する位置を規定する。また規制操作部２８及びクランプレバー４１Ｂを操作して、木材Ｗの切断角度に合わせてターンテーブル２２の回動角度、切断部３の傾動角度を調整する。
【００３９】
その後に、固定ネジ５１Ａを緩めて切断本体部５がスライド部６に対してスライド可能な状態にして、ストッパピン４５Ｃを引き、係合部４５Ｅと凹部４２ｂとの係合を解き、かつピン４５Ｆが溝４５ｂ内に挿入された状態で切断部３を上方に揺動させ、図１示される様に切断刃５３をベース部２上に配置する。この状態で木材Ｗをベース部２上に載置し、図８に示されるように、切断本体部５を前方にスライドさせて、ベース部２に近接するように揺動し、木材Ｗを切断する。
【００４０】
図４に示されるように、切断部３が、スライド部６とベース部２の上面とが平行になる位置まで揺動された状態で、ストッパピン４５Ｃがバネ４５Ｄの付勢力により摺動して、係合部４５Ｅが凹部４２ｂ内に入り、切断刃５３が切断位置に配される。これにより切断部３は揺動不可となり、よって作業者がバネ４４Ａの付勢力に逆らってハンドル５５を押し下げていなくても、切断本体部５は揺動に係る方向において常に一定の位置に保たれる。故に、スライド部６とベース部２の上面とが平行になる所定の揺動角度で切断刃５３を固定することができる。固定された後は、切断刃５３が揺動することがないため、切断刃５３がスライドする方向のみハンドル５５に力を加えることにより木材Ｗを切断することができる。
【００４１】
スライド部６とベース部２の上面とが平行な状態で図９に示されるように切断本体部５を後方にスライドさせて、木材Ｗを切断する。切断し終わった後には、ストッパピン４５Ｃを引くことにより、係合部４５Ｅと凹部４２ｂとの係合が解かれて、切断刃５３は非切断位置である上方に向けて揺動することができる。
【００４２】
切断時において、切断本体部５のスライドにより切断することができる切断幅：Ｌは、図１０に示されるように、スライド量をｎ、切断刃５３の半径をｌ、切断刃５３の中心からベース部２の上面までの距離をｍ１とした場合に、
Ｌ１＝ｎ＋（ｌ２−ｍ１２）（１／２）×２
で与えられる。切断幅がＬ１の状態においては、木材Ｗの幅：ＨよりＬ１の方が小さいため木材Ｗを切断することができない。これに対して、スライド部６がベース部２上面と平行な状態で調整ノブ４２Ａを回転し、切断本体部５をベース部２に近接させて切断刃５３の中心からベース部２の上面までの距離をｍ２（ｍ１＞ｍ２）とした場合には、
Ｌ２＝ｎ＋（ｌ２−ｍ２２）（１／２）×２＞Ｈ＞Ｌ１となり、木材Ｗを好適に切断することができる。
【００４３】
故に切断刃５３をベース部２に近接させることにより、より幅の広い木材Ｗを切断することができる。逆に切断刃５３で切断することができる木材Ｗの厚さは、ベース部２表面から切断刃５３の中心までの距離で決まるため、切断刃５３をベース部２から離間させることにより、より厚い木材Ｗを切断することができる。また切断刃５３からベース部２までの距離を任意に変更することができるため、切断刃５３が小径な場合であっても厚い木材Ｗから幅広の木材Ｗまで好適に切断加工することができる。
【００４４】
次に本実施の第二の実施の形態に係るスライド式卓上切断機について、図１１乃至図１５を参照して説明する。第一の実施の形態に係るスライド式卓上切断機では、支持部に揺動軸部及び微調整機構が設けられていたが、第二の実施の形態に係るスライド式卓上切断機である卓上丸鋸１０１では、支持部に微調整機構が設けられ、切断本体部に揺動軸部が設けられている。尚、第一の実施の形態に係る卓上丸鋸１と同様の構成を採る部分においては、符号に１００を追加して、その説明を省略する。
【００４５】
卓上丸鋸１０１は、ベース１２１及びベース１２１上に回動可能に担持されるターンテーブル１２２を有するベース部１０２と、ベース部１０２上に設けられて切断刃１５３を回転可能に支持する切断部１０３から構成されている。
【００４６】
ターンテーブル１２２において、後端部位置には、切断部１０３を支持する切断部支持部１２７が上方へ向けて立設されており、切断部支持部１２７の後端面は、図１３に示されるように、後方へ向けて突出し上下方向に延設される凸部１２７Ａが設けられている。
【００４７】
図１１に示されるように、切断部１０３は、支持部１０４とスライド部１０６と切断本体部１０５とから主に構成されている。支持部１０４は、切断部支持部１２７の後方に配置されており、図１２に示されるように、上下方向に延びる調整部１０４Ａと、調整部１０４Ａの上方から斜め上方に延出されるスライド部保持部１０４Ｂとから主に構成されている。調整部１０４Ａにおいては、図１３に示されるように、切断部支持部１２７の凸部１２７Ａと係合する凹部１０４ｂが形成されている。よって凹部１０４ｂに凸部１２７Ａが挿入されて切断部支持部１２７に調整部１０４Ａが配置され、支持部１０４は切断部支持部１２７に対して上下動のみ可能となる。
【００４８】
また図１２に示されるように、調整部１０４Ａには、前後方向に貫通して上下方向に延びる長孔１０４ａが形成されており、この長孔１０４ａ内に固定ボルト１０４Ｃが挿入されている。固定ボルト１０４Ｃは長孔１０４ａを貫通し、切断部支持部１２７に形成されたネジ孔と螺合している。よって固定ボルト１０４Ｃを締めることにより、切断部支持部１２７に調整部１０４Ａが付勢されて、支持部１０４は切断部支持部１２７に対して移動不能に固定される。この調整部１０４Ａ及び固定ボルト１０４Ｃから微調整機構が構成されている。
【００４９】
スライド部保持部１０４Ｂの上方位置には、上下方向に並んで一対のスライド部１０６、１０６が設けられている。スライド部１０６はそれぞれ略同形状を成しており、支持部１０４から前方へ向かってベース部１０２の表面と略平行に延出されている。
【００５０】
切断本体部１０５は、スライド部１０６で摺動可能に支持される接続部１５１と接続部１５１に設けられた揺動軸部１４４と、切断刃１５３を回転可能に支持すると共に揺動軸部１４４に揺動可能に設けられた切断刃支持部１５６とから主に構成されている。揺動軸部１４４は、その軸方向がベース部１０２の表面と略平行かつ、ターンテーブル１２２の前後方向と略直交する左右方向になるように配置されている。切断刃支持部１５６は、切断刃１５３をその中心軸が揺動軸部１４４の軸方向と平行になるように支持していると共に、切断刃１５３を回転駆動する図示せぬモータと、切断刃１５３を揺動する際の把持部となるハンドル１５５と、図示せぬモータを制御するトリガ１５５Ａを備えている。また接続部１５１と切断刃支持部１５６との間には図示せぬバネが介在しており、図示せぬバネにより揺動軸部１４４を揺動の軸として切断刃支持部１５６をベース部１０２上方で前側から後側へと付勢している。
【００５１】
上記構成の卓上丸鋸１０１で木材Ｗを切断する場合には、先ず固定ボルト１０４Ｃを緩めて切断部支持部１２７に対して調整部１０４Ａを上下動し、切断刃１５３とベース部２の上面との間の距離が所定の間隔：ｍ１になるように調整し、固定ボルト１０４Ｃを締めて調整部１０４Ａ切断部支持部１２７に固定する。そして図１４に示されるように、切断本体部１０５を前側に移動させた後に、ハンドル１５５により切断刃支持部１５６を揺動して切断刃１５３を押し下げる。その後に切断本体部１０５を前方にスライドさせて、木材Ｗを切断する。
【００５２】
また第一の実施の形態において図１０を参照して説明したように、スライドにより切断可能な幅を拡げたい場合や、木材Ｗの表面に溝を形成したい場合などには、図１５に示されるように、固定ボルト１０４Ｃを緩めて切断部支持部１２７に対して調整部１０４Ａを上方に移動させ、切断刃１５３とベース部２の上面との間の距離をｍ２になるように調整し、その後に固定ボルト１０４Ｃを締めることにより、切断刃１５３とベース部２の上面との間の距離をｍ２に保つことができる。
【００５３】
なお本発明によるスライド式卓上切断機は、上述した実施の形態に限定されず、特許請求の範囲に記載した範囲内で種々の変形や改良が可能である。例えば第一の実施の形態において、揺動部４２、調整部４３Ａ、及び調整ノブ４２Ａから構成される微調整機構は支持部４側に設けられているが、これに限らず、切断本体部５側に設けられていてもよい。この場合においても、上述の実施の形態と同様の効果を得ることができる。
【００５４】
また第二の実施の形態において、調整部１０４Ａ、固定ボルト１０４Ｃから構成される微調整機構は支持部１０４側に設けられているが、これに限らず、切断本体部１０５側に設けられていてもよい。要は本発明のスライド式切断機において、切断刃が揺動して押し下げられた状態で、揺動軸回りの揺動とは関係なく切断刃がベース部に近接離間可能な構成を採ることにより、本発明の効果を得ることができる。
【００５５】
また第一の実施の形態及び第二の実施の形態に係るスライド式切断機において、スライド部に対して切断本体部がスライドする形態をとっているが、支持部に対してスライド部及び切断本体部がスライドする形態を採ってもよい。
【図面の簡単な説明】
【００５６】
【図１】本発明の第一の実施の形態に係るスライド式卓上切断機の側面図（切断前状態）。
【図２】本発明の第一の実施の形態に係るスライド式卓上切断機の正面部分断面図。
【図３】本発明の第一の実施の形態に係るスライド式卓上切断機の揺動支持部周辺を表す部分背面図。
【図４】本発明の第一の実施の形態に係るスライド式卓上切断機の側面図（切断中スライド前状態）。
【図５】本発明の第一の実施の形態に係るスライド式卓上切断機の揺動支持部周辺であって保持機構を表す部分背面図（係合状態）。
【図６】本発明の第一の実施の形態に係るスライド式卓上切断機の揺動支持部周辺であって保持機構を表す部分背面図（非係合状態）。
【図７】図４におけるVII-VII線に沿った断面図。
【図８】本発明の第一の実施の形態に係るスライド式卓上切断機の側面図（切断本体部を延ばして切り始めた状態）。
【図９】本発明の第一の実施の形態に係るスライド式卓上切断機の側面図（切断が終わった状態）。
【図１０】本発明の第一の実施の形態に係るスライド式卓上切断機の微調整機構による切断刃とベースとの関係を示す概念図。
【図１１】本発明の第二の実施の形態に係るスライド式卓上切断機の側面図（切断前状態）。
【図１２】本発明の第二の実施の形態に係るスライド式卓上切断機のベース部及び支持部に係る背面図）。
【図１３】図１１におけるXIII- XIII線に沿った断面図。
【図１４】本発明の第二の実施の形態に係るスライド式卓上切断機の側面図（切断刃を揺動した状態）。
【図１５】本発明の第二の実施の形態に係るスライド式卓上切断機の側面図（微調整機構により微調整を行った状態）。
【符号の説明】
【００５７】
１・・卓上丸鋸  ２・・ベース部  ３・・切断部  ４・・支持部  ５・・切断本体部
５Ａ・・ハウジング  ６・・スライド部  ２１・・ベース  ２１Ａ・・左ベース
２１Ｂ・・右ベース  ２２・・ターンテーブル  ２２Ａ・・ターンテーブル本体部
２３・・フェンス  ２３Ａ・・左フェンス  ２３Ｂ・・右フェンス  ２４・・突出部
２７・・切断部支持部  ２７Ａ・・傾動軸  ２７Ｂ・・傾動支持部  ２７ａ・・長孔
２８・・規制操作部  ４１Ｂ・・クランプレバー  ４１・・揺動支持部  ４１Ａ・・腕部
４２・・揺動部  ４２Ａ・・調整ノブ  ４２Ｂ・・ネジ部  ４２ａ・・調整溝
４２ｂ・・凹部  ４２ｃ・・孔  ４３・・スライド支持部  ４３Ａ・・調整部
４３ａ・・ネジ孔  ４４・・揺動軸部  ４４Ａ・・バネ  ４５・・ストッパホルダ
４５Ａ・・固定ボルト  ４５Ｂ・・筒部  ４５Ｃ・・ストッパピン  ４５Ｄ・・バネ
４５Ｅ・・係合部  ４５Ｆ・・ピン  ４５ｂ・・溝  ４５ａ・・長孔  ５１・・胴部
５１Ａ・・固定ネジ  ５１Ｂ・・圧接ブッシュ  ５１Ｃ・・ネジ
５１Ｄ・・ボールブッシュ  ５２・・モータ  ５３・・切断刃  ５４・・切断刃カバー
５５Ａ・・トリガ  ５５・・ハンドル  ６１・・第一スライドパイプ
６２・・第二スライドパイプ１・・卓上丸鋸
１０１・・卓上丸鋸  １０２・・ベース部  １０３・・切断部  １０４・・支持部
１０４Ａ・・調整部  １０４Ｂ・・スライド部保持部  １０４Ｃ・・固定ボルト
１０４ａ・・長孔  １０４ｂ・・凹部  １０５・・切断本体部  １０６・・スライド部
１２１・・ベース  １２２・・ターンテーブル  １２７・・切断部支持部
１２７Ａ・・凸部  １４４・・揺動軸部  １５１・・接続部  １５３・・切断刃
１５５・・ハンドル  １５５Ａ・・トリガ  １５６・・切断刃支持部
【図１】
2008100355.tif 000003
【図２】
2008100355.tif 000004
【図３】
2008100355.tif 000005
【図４】
2008100355.tif 000006
【図５】
2008100355.tif 000007
【図６】
2008100355.tif 000008
【図７】
2008100355.tif 000009
【図８】
2008100355.tif 000010
【図９】
2008100355.tif 000011
【図１０】
2008100355.tif 000012
【図１１】
2008100355.tif 000013
【図１２】
2008100355.tif 000014
【図１３】
2008100355.tif 000015
【図１４】
2008100355.tif 000016
【図１５】
2008100355.tif 000017